(57)【要約】【課題】  不正行為に用いられる磁石を検出するための磁気センサの死角を減らす。少数の磁気センサで広範囲を監視できるようにする。【解決手段】  遊技媒体が移動する遊技領域を有する盤面と、前記盤面に設けられて移動中の前記遊技媒体を受け入れる複数の入賞口とを備えるパチンコ機において、盤面１１の内側に磁気センサＭＳを設けるとともに、磁気センサＭＳの位置を変える駆動部を設ける。磁気センサＭＳは、直線の線路ＲＬ上を往復可能に取り付けられ、モータＭの軸に取り付けられたピニオンＰＮでラックＲＫを往復させることにより、磁気センサＭＳを所定範囲内で往復させる。【選択図】        図５
2008017889.tif 000002
【特許請求の範囲】
【請求項１】
遊技媒体が移動する遊技領域を有する盤面を含む遊技盤と、前記盤面に設けられて移動中の前記遊技媒体を受け入れる複数の入賞口と、前記遊技盤に可動に設けられた磁気センサと、前記磁気センサを可動させる駆動部と、前記磁気センサの出力に基づき不正行為を判定する不正行為判定部と、を備えることを特徴とする遊技機。
【請求項２】
前記駆動部を駆動して前記磁気センサを所定の位置に向かわせるセンサ駆動制御部を備え、
前記センサ駆動制御部は、遊技媒体を前記遊技盤の盤面へ打ち出す強さを調整するハンドルの回転角が予め定められた閾値よりも大きいとき、前記駆動部を駆動して前記磁気センサを前記遊技盤の右側に向かわせ、遊技媒体を前記盤面へ打ち出す強さを調整するハンドルの回転角が予め定められた閾値よりも小さいとき、前記駆動部を駆動して前記磁気センサを前記遊技盤の左側に向かわせる、ことを特徴とする請求項１記載の遊技機。
【請求項３】
前記駆動部を駆動して前記磁気センサを所定の位置に向かわせるセンサ駆動制御部を備え、
前記磁気センサは、前記複数の入賞口の少なくとも２つ以上の入賞口の近傍を経由する、直線又は曲線の線路上を往復可能に取り付けられ、
前記センサ駆動制御部は、前記駆動部を駆動して前記磁気センサを前記２つ以上の入賞口の近傍に順次向かわせることを特徴とする請求項１記載の遊技機。
【請求項４】
前記盤面に可動に設けられた可動役物を備え、前記可動役物に前記磁気センサが設けられていることを特徴とする請求項１乃至請求項３いずれかに記載の遊技機。
【請求項５】
前記磁気センサは、直線又は曲線の線路上を往復可能に取り付けられ、
前記駆動部は、前記線路の予め定められた範囲で前記磁気センサを往復させることを特徴とする請求項１乃至請求項４いずれかに記載の遊技機。
【請求項６】
前記磁気センサは、回転軸に回動可能に取り付けられ、
前記駆動部は、前記磁気センサを回動させることを特徴とする請求項１乃至請求項４いずれかに記載の遊技機。
【発明の詳細な説明】
【技術分野】
【０００１】
この発明は、弾球遊技機などの遊技機に関する。特に、磁石を用いた不正行為を防止するための技術に関する。
【背景技術】
【０００２】
遊技機設置営業店などにおいて設置されている弾球遊技機（いわゆるパチンコ機）は、遊技球（遊技媒体とも呼ぶ）を用いて遊技を行うものである。借り受けた遊技球を弾球遊技機の遊技盤に設けられている盤面へ打ち出し、当該遊技球が予め定められた入賞口に入るごとに所定数の遊技球を払出すようになっている。払い出される遊技球は賞球と呼ばれる。
【０００３】
弾球遊技機の盤面に設けられている入賞口には次のようなものがある。
（１）普通入賞装置
（２）スタートチャッカー（始動入賞装置）
（３）アタッカー（大入賞装置）
（４）スルーチャッカー（入賞チャッカー）
【０００４】
スタートチャッカー（始動入賞装置）は特定入賞装置とも呼ばれる。遊球球がスタートチャッカー（始動入賞装置）に受け入れられて入賞状態になったとき、賞球を払い出すとともに電子的な抽選を行い、当選の場合に通常状態から遊技者にとって有利な遊技状態となるよう、アタッカー（大入賞装置）を開放状態にするものである。
アタッカー（大入賞装置）は特別入賞装置とも呼ばれる。
【０００５】
スルーチャッカー（入賞チャッカー）は直接賞球を払い出すものではないが、本明細書において入賞口に含める。遊技球がスルーチャッカー（入賞チャッカー）を通過したことが検知されたとき、電子的な抽選を行い、当選したときは遊技者にとって有利な遊技状態となるよう、スタートチャッカー（始動入賞装置）を所定時間開放し、遊技球がスタートチャッカー（始動入賞装置）に入りやすくする。スルーチャッカー（入賞チャッカー）に受け入れられた遊技球はそのまま盤面を移動し、他の入賞口又は次に説明する排出口（アウト口）に受け入れられる。
【０００６】
弾球遊技機の盤面には、前記入賞口以外にも排出口（アウト口）が設けられている。排出口（アウト口）は、盤面に遊技領域を区画するために螺旋状に配置された誘導レールの下部（重力によって遊技球が集められる個所）に設けられた開口であり、前記入賞口（正確には普通入賞装置、スタートチャッカー（始動入賞装置）、アタッカー（大入賞装置））のいずれにも受け入れられなかった遊技球を受け入れて、盤面の外へ排出するためのものである。
【０００７】
上述のように、弾球遊技機の特定の入賞口に遊技球が受け入れられると電子的な抽選が行われる。多くの場合、当該抽選にはカウンタやレジスタ等のハードウエアで発生された乱数又はソフトウエアで実行されるカウンタで発生された乱数が使用される。
【０００８】
弾球遊技機において、磁石を用いた不正行為が行われることがある。磁石を用いて遊技球を動かし、不正に入賞口に導くというものである。このような不正行為を検知するために、磁気センサを設けることがある。弾球遊技機において磁気センサを使用することを開示するものとして次の特許文献１〜３がある。
【０００９】
【特許文献１】特開平６−３４７５５９公報「磁性体近接感知センサ」  永久磁石とリードスイッチを組み合わせて磁気回路を形成した近接磁気センサ−に関するものである。主にパチンコ玉のような球体状の流動性のある磁性体の定性的および定量的な直接的検出に用いる。また塊状の磁性体の移動の検出にも用いる。さらに他の永久磁石及び磁性体と組み合わせて間接的検出も可能である。磁気に反応するリードスィッチと、固定磁石および非磁性防塵体からなり、リードスィッチの長手方向に少なくとも１つの固定磁石を位置決めし、リードスィッチおよび固定磁石を非磁性防塵体で包囲することにより得られるものである。
【特許文献２】特開平８−９８７０９号公報「ゲーム機用のメダル及びメダルの識別装置」  種類の識別が簡単なゲーム機用のメダルと、このメダルを識別するメダルの識別装置を提供する。メダル１を投入すると、このメダル１は、移動経路４上を滑走する。このメダル１には、磁性体円板が内蔵されるので、この磁性体円板が磁気センサ５の上方を通過するときに、この磁性体円板が検出される。これに応答して、磁気検出回路６からは、信号が出力され、この信号が入力回路１１を介して中央処理装置１５に入力される。中央処理装置１５は、この信号がハイレベルになる回数を計数する。このメダル１の場合、この信号がハイレベルになる回数は、１回だけである。この回数に基づいて、中央処理装置１５は、メダル１であることを判定する。
【特許文献３】特開平８−２６６７１９号公報「遊技機等の表示装置」  遊技等に関する情報を表示するための画面を表示ユニットで構成し、表示ユニットの少なくとも１つに可動体の近接または通過を検出する検出器を設け、検出器の出力によって前記画面の表示を変更する表示制御手段を設けた。表示ユニットの画面の裏面か周辺側面又は前面に可動体通過空間を設けてある。可動体通過空間には、磁気センサまたは光センサまたは機械的センサからなる検出器が設けられている。これにより表示面の裏面、側面、前面に可動体が近接することで表示内容が変更されることとなり、可動体の可動範囲と表示面とが融合し、可動体の通過近接を検知してそれにより表示内容を変更させ、もって遊技（ゲ−ム）の面白みが増大する。
【発明の開示】
【発明が解決しようとする課題】
【００１０】
遊技機に用いられる公知の磁気センサには、磁石を検知可能な有効範囲がある。例えば、図１８（ａ）に示すように、磁気センサＭＳの軸方向（検出方向）Ｄについて最大の感度をもち、軸方向Ｄの延長上にある磁石を最もよく検出することができる。磁気センサＭＳの最大感度方向は、図１８（ａ）に示すように上記軸の両側に存在するが、以下の説明において特に断らない限りいずれか一方を例にとり説明を加えることにする。
【００１１】
なお、以下の説明において、「磁気センサＭＳの向き」とは、磁気センサＭＳの軸方向（検出方向）Ｄのことを意味する。例えば、磁気センサＭＳを入賞口の方向へ向けるとは、磁気センサＭＳの軸方向（検出方向）Ｄの延長上に入賞口が位置することを意味する。
【００１２】
軸方向Ｄから離れるに従って、磁気センサＭＳの感度は低下し、やがて磁石を検出できなくなる。この限界は磁気センサの固有のものでその種類や検出性能で決まる。図１８（ａ）では、検知可能な限界を角度θで示している。以下、軸方向Ｄを中心とする角度θの範囲を、磁気検知範囲Ａと呼ぶことにする。図中で磁気検知範囲Ａを点線の楕円で示しているが、これは、軸方向Ｄについての感度を基準として角度が大きくなる（軸方向Ｄから離れる）につれて感度が低下していくことを示している。
【００１３】
上述のように、遊技機に用いられる公知の磁気センサＭＳは、限られた磁気検知範囲Ａの内側に磁石があるときにこれを検出できるが、その範囲外にある磁石は検出できないことになる。すなわち、公知の磁気センサには死角がある。例えば、図１８（ｂ）のように、遊技機の遊技盤１０の裏面側（盤面１１の反対側）に、遊技盤１０に沿うように軸方向Ｄを向けて磁気センサＭＳを配置すると（言い方を変えると、磁気センサＭＳの向きを遊技盤１０に平行にすると）、磁気センサＭＳの磁気検知範囲Ａが遊技盤１０に沿って広がり、遊技盤１０（すなわち盤面１１）の広い領域を監視できるものの、奥行き方向（遊技盤１０に垂直な方向）の感度が低くなってしまい、遊技盤１０の表面から少し離れると磁石を検知できなくなる（なお、遊技盤１０には磁気を遮蔽する機能はなく、したがって同図に示すように磁気センサＭＳは遊技盤１０の内外を同時に監視できるものとする）。特に磁気センサＭＳが設けられている位置の感度が低く、同図に示すように、磁気センサＭＳの正面に大きな検出不能領域Ｚが存在する。これに対し、図１８（ｃ）のように、遊技機の遊技盤１０の内側に、遊技盤１０に垂直な方向へ（すなわち盤面１１に垂直な方向へ）軸方向Ｄを向けて磁気センサＭＳを配置すると（言い方を変えると、磁気センサＭＳの向きを遊技盤１０に垂直にすると）、磁気センサＭＳの正面は縦深に監視できるものの、その周辺に検出不能領域Ｚが存在するようになる（断面図を示す図１８の例では磁気センサＭＳの両側に２つの大きな検出不能領域Ｚが存在するようになる）。なお、同図では磁気センサＭＳの反対側の磁気検知範囲の表示を省略している。
【００１４】
上述の検出不能領域Ｚを解消し、遊技盤１０の広い範囲について不正行為に用いられる磁石を監視するには、多数の磁気センサを配置すればよい。例えば、図１８（ｃ）の磁気センサＭＳに隣接して複数の磁気センサを同様に配置すれば、検出不能領域Ｚは解消される。しかし、このやり方ではコストが増大するとともに、複数の磁気センサの出力を取り纏めるための回路が必要となり、複雑になるという問題がある。また、多数の磁気センサを配置するためのスペースの確保が必要になるという問題も生じる。
【００１５】
本発明は上記課題を解決するためになされたもので、磁気センサの検知範囲能力を有効に生かしつつ検知範囲を拡張できる遊技機を提供することを目的とする。
【課題を解決するための手段】
【００１６】
この発明に係る遊技機は、遊技媒体が移動する遊技領域を有する盤面を含む遊技盤と、前記盤面に設けられて移動中の前記遊技媒体を受け入れる複数の入賞口と、前記遊技盤に可動に設けられた磁気センサと、前記磁気センサを可動させる駆動部と、前記磁気センサの出力に基づき不正行為を判定する不正行為判定部と、を備えるものである。
【００１７】
前記駆動部を駆動して前記磁気センサを所定の位置に向かわせるセンサ駆動制御部を備え、
前記センサ駆動制御部は、遊技媒体を前記遊技盤の盤面へ打ち出す強さを調整するハンドルの回転角が予め定められた閾値よりも大きいとき、前記駆動部を駆動して前記磁気センサを前記遊技盤の右側に向かわせ、遊技媒体を前記盤面へ打ち出す強さを調整するハンドルの回転角が予め定められた閾値よりも小さいとき、前記駆動部を駆動して前記磁気センサを前記遊技盤の左側に向かわせる、ようにしてもよい。
前記駆動部を駆動して前記磁気センサを所定の位置に「向かわせる」とは、少なくとも、前記磁気センサの向きを変えることによって向かうこと（例えば、図１７（ａ））、又は、前記磁気センサの位置を移動させることにより前記所定の位置に向かうこと（例えば、図１７（ｂ））、のいずれか一方又は両方を意味する。
【００１８】
前記駆動部を駆動して前記磁気センサを所定の位置に向かわせるセンサ駆動制御部を備え、
前記磁気センサは、前記複数の入賞口の少なくとも２つ以上の入賞口の近傍を経由する、直線又は曲線の線路上を往復可能に取り付けられ、
前記センサ駆動制御部は、前記駆動部を駆動して前記磁気センサを前記２つ以上の入賞口の近傍に順次向かわせる、ようにしてもよい。
【００１９】
前記盤面に可動に設けられた可動役物を備え、前記可動役物に前記磁気センサを設けるようにしてもよい。
前記駆動部は、前記可動役物を介して前記磁気センサを動かしている。前記可動役物の駆動機構に前記駆動部の機能を持たせ、前記磁気センサを動かすためにも使用している。
【００２０】
前記磁気センサは、直線又は曲線の線路上を往復可能に取り付けられ、
前記駆動部は、前記線路の予め定められた範囲で前記磁気センサを往復させる、ようにしてもよい。
【００２１】
前記磁気センサは、回転軸に回動可能に取り付けられ、
前記駆動部は、前記磁気センサを回動させる、ようにしてもよい。
前記駆動部は、前記回転軸を中心に全周３６０度にわたって前記磁気センサを回転させてもよい、あるいは予め定められた角度の範囲で往復させてもよい。
【００２２】
なお、前記駆動部は、前記磁気センサの位置と向きの両方を変化させるものであってもよい。例えば、図５に示すように、前記磁気センサを直線又は曲線の線路上を往復可能に取り付けるとともに、前記磁気センサを前記線路に取り付ける個所において、図７あるいは図９に示すように、前記磁気センサを予め定められた回転軸に回動可能に取り付けることにより、前記磁気センサの位置と向きの両方を同時に変化させることができるようになる。
【発明の効果】
【００２３】
この発明によれば、遊技機の遊技盤に設けられた磁気センサの位置又は向きの少なくとも一方を変える駆動部とを備えるので、少数の磁気センサで広範囲を監視することができる。多数の磁気センサを備える場合と比べて、コストダウンを実現できる。しかも、その設置面積が少なくて済み、実装が容易である。
【発明を実施するための最良の形態】
【００２４】
弾球遊技機の構造概略について図１及び図２を参照して説明を加える。
まず、図１を参照して本発明の実施の形態に係る遊技機の外部的構造につき説明する。
外枠５０は、遊技機設置営業店に設けられた設置場所（島設備など）へと固定させるための縦長方形状からなる木製の枠部材である。
本体部材５１は、外枠５０の内部に備えられ、ヒンジ部５１ａを介して外枠に回動自在に装着された縦長方形状の遊技機基軸体となる部材である。この本体部材５１は、枠状に形成されその内側に空間部を有している。
【００２５】
開口枠扉５２は、遊技機の前面側となる前記本体部材５１の前面に、ロック機能付きで且つ開閉自在となるように装着され、枠状に構成されることでその内側を開口部とした扉部材である。
なお、開口枠扉５２の開口部にガラス製又は樹脂製からなる透明板部材が設けられ、開口部近傍に電飾５２ａ、スピーカ５２ｂ、などが取り付けられている。
後述する遊技盤（図１では示していない）は、本体部材５１の空間部に臨むように、本体部材５１に所定の固定部材を用いて着脱自在に装着されている。遊技盤の本体部材５１への装着後は、その遊技領域を前記開口部より観察することができる。
【００２６】
球受皿付き扉５３は、遊技機前面において本体部材５１の下側に対し、ロック機能付きで且つ開閉自在となるように装着され、遊技球を貯留する球受皿を少なくとも備えた扉部材である。なお、本実施形態における球受皿付き扉には、以下の部材が取り付けられている。
（1）複数の遊技球が貯留可能で且つ発射駆動装置４８へと遊技球を案内させる通路が設けられた球受皿。
（2）該貯留され発射駆動装置４８へと案内された遊技球を前記遊技盤１０の盤面１１に設けられた遊技領域へと打出す操作を行う回動式操作ハンドル４８ｂ。
（3）ブリペイドカード読込み処理関係及び借り受ける遊技球の貸出し処理関係の指示をするボタンを備えた球貸し関係の操作部。
（4）球受皿に貯留させた遊技球を遊技球収集容器（俗称、ドル箱）へと排出解除するための球受皿用の貯留球排出操作ボタン。
【００２７】
次に、図２を参照して本発明の実施の形態に係る遊技機の内部的構成を説明する。
４０は、前述したように、本体部材５１若しくは遊技盤１１又はこれらに備え付けられる支持部材などを介して設けられ、電気的な遊技制御の処理を行い主要な処理情報を生成する制御部である。
４０ｂは、前記本体部材５１若しくは遊技盤１１又はこれらに備え付けられる支持部材などを介して設けられ、前記制御部４０にて生成した処理情報を得ることにより所定の出力態様処理をさせる制御を行う副制御装置である。
４２は、賞球の払い出し制御を行う払出制御部である。
４３は、遊技球を払い出す遊技球払出装置である。
４４は、図示しないランプや電飾５２ａを制御するランプ制御部である。
４６は、スピーカ５２ｂを制御駆動して音響を発生させる音響制御部である。
４９は発射駆動装置４８を制御する制御装置であって、回動式操作ハンドル４８ｂを介して遊技球を盤面に設けられた遊技領域へと打出し制御を行うための発射制御装置である。
【００２８】
図３は遊技機の遊技盤の正面図である。
図３において、１１は遊技盤１０の盤面である。盤面１１は、誘導レール１２と、誘導レール１２で区画された略円形の遊技領域を落下した遊技球を外部へ導く排出口（アウト口）１３と、遊技領域を移動する遊技球の方向を変化せしめる釘１４や風車１４ａなどの障害物を複数個備える矩形の盤面である。
【００２９】
前述した盤面１１の遊技領域は、誘導レール１２（遊技球を滑走させる滑走部と遊技球を規制する規制部を含む）により略円形状となるように区画形成され、打出された遊技球の移動範囲を規制する領域である。前記滑走部に規制部が続くように設けられている。前記滑走部は全体として螺旋をなして盤面１１に配設されている。
【００３０】
前記排出口（アウト口）１３は、遊技領域に投入された遊技球が集束する位置に設けられた回収開口部である。
【００３１】
障害物１４としての遊技釘は、遊技球と接触させることにより移動方向を不規則にし、又は移動方向を規制するために、盤面１１の適宜な位置に打込まれる複数の棒状部材である。
【００３２】
３０ａは、遊技領域の中央やや上側に設けられ、演出用表示ランプやＬＣＤ（液晶表示装置）などの可変表示部をひとつ又は複数有する可変表示装置（センター役物）である。
３０ｂは、入賞部としてスルーチャッカー（入賞チャッカー）である。
３０ｃは、普通入賞口を有する普通入賞装置である。
３０ｄは、始動入賞口を有するスタートチャッカー（始動入賞装置）である。
３０ｅは、大入賞口を有するアタッカーである。
以下の説明で、３０ｂ乃至３０ｄをまとめて入賞口３０などと記すことがある。
なお、図示されていないが、上記３０ｂ、３０ｃ、３０ｄの内部には球通過検出器２０ｂ、２０ｃ、２０ｄが設けられている（同図の括弧内の符号はそのことを意味する）。
【００３３】
スタートチャッカー３０ｄの始動入賞装置は特定入賞装置と、アタッカー３０ｅの大入賞装置は特別入賞装置とも呼ばれる。
スタートチャッカー（始動入賞装置）３０ｄは、入賞口の開口範囲の拡縮を行わせる可動片をその両側に備え、遊技球を入賞させることにより可変表示を行わせると共に賞球を遊技者に獲得させる入賞装置である。
アタッカー（大入賞装置）３０ｅは、入賞口を露出させる開口状態と入賞口を閉鎖する閉口状態となる可動扉が駆動制御されるものであり、遊技球を入賞させることにより他の入賞装置と比較してより多くの賞球を獲得させる入賞装置である。
【００３４】
図４は本発明の実施の形態に係る遊技機の機能ブロック図である。同図において、副制御部の表示は省略している。
４０は、電気的な遊技制御の処理を行い主要な処理情報を生成する制御部である。制御部４０は遊技領域を移動（流下）して入賞口３０ｂ〜３０ｄを通過した遊技球をそれぞれ検出する球通過検出器２０ｂ〜２０ｄの信号を入力とし、入賞口３０ｂ〜３０ｄの遊技球通過に応じた抽選・判定を行う入賞判定部４０ａと、遊技盤１０に設けられた磁気センサＭＳの信号を入力とし、磁石を用いた不正行為を検知する不正行為判定部４０ｂとを含む。
【００３５】
４１は可変表示装置（センター役物）３０ａの演出用表示ランプを点灯させたり、ＬＣＤ（液晶表示装置）に演出に係る画像を表示させる表示制御部である。表示制御部４１は、制御部４０に設けられた入賞判定部４０ａにおける所定条件の成立（例えば、始動入賞装置３０ｄヘの遊技球の入賞等）に基づく電子的な当否抽選の結果に応じて、その識別表示情報（可変表示装置（センター役物）３０ａのＬＣＤに演出表示される）を可変表示させた後に停止表示を行う表示制御装置でもある。さらに、表示制御部４１は、入賞判定部４０ａにおける所定条件の成立（例えば、予め定められた通過口ヘの遊技球の通過）に基づく電子的な当否抽選の結果に応じて、識別点灯情報（可変表示装置（センター役物）３０ａの演出用表示ランプに点灯表示される）を可変表示させた後に停止表示を行う表示制御装置である。
【００３６】
可変表示装置（センター役物）３０ａのＬＣＤは、大当り状態に係わる特定図柄を変動表示すると共に背景画像や各種のキャラクタなどをアニメーション的に表示する装置である。スタートチャッカー（始動入賞装置）３０ｄを遊技球が通過したことが検出されると、表示される図柄が所定時間だけ変動し、遊技球のスタートチャッカー（始動入賞装置）３０ｄの通過時点において抽選された抽選用乱数値により決定される停止図柄をＬＣＤに表示して停止するようになっている。アタッカー３０ｅは、前方に開放可能な開閉板を備える。ＬＣＤの変動停止後の図柄が「７７７」などの当り図柄のとき、「大当り」と称する特別遊技が開始され、アタッカー３０ｅの開閉板が予め定めた回数だけ開放されるようになっている。アタッカー３０ｅの開閉板が開放された後、所定時間が経過し、又は所定数の遊技球が入賞すると開閉板が閉じる。
【００３７】
４２は、入賞判定部４０ａの信号を受けて入賞口３０ｂ〜３０ｄの遊技球通過に応じた及び／又はこれによる抽選・判定の結果に応じた遊技球払出装置４３を制御する払出制御部である。
４３は、入賞条件の達成により遊技利益として入賞口３０ｂ〜３０ｄの遊技球通過に応じた及び／又はこれによる抽選・判定の結果に応じた所定数の遊技球を払出す駆動源を備えた遊技球払出装置である。
４４は、遊技盤１０あるいは遊技機筐体に設けられたランプ・電飾５２ａなどを点灯制御するためのランプ制御部である。
４６は、遊技盤１０あるいは遊技機筐体に設けられたスピーカ５２ｂを通じて効果音・音声を発生させる音響制御部である。
【００３８】
ＭＳは公知の磁気センサ（図１８に示すような特性をもつもの）である。不正行為判定部４０ｂは、磁気センサＭＳの出力に基づき不正行為を判定する。例えば、磁気センサＭＳから予め定めたよりも強力な磁力を検出した旨の信号を受けたとき、不正行為判定部４０ｂは不正行為と判定し、賞球の払い出しを含む遊技処理を停止するとともに、ランプ・電飾５２ａを点滅させたり、スピーカ５２ｂからエラー音を流すことで不正行為の報知を行う。図４では、不正行為判定部４０ｂは制御部４０内に設けられているが、これには限定されない。不正行為判定部４０ｂを独立して設けてもよい。
【００３９】
ＤＲＶは磁気センサＭＳの向き及び／又はその位置を変える駆動部である。駆動部ＤＲＶは、磁気センサＭＳを例えば次のように動かす。
（１）磁気センサＭＳを予め定められた直線又は曲線に沿って往復させ、その位置を刻一刻と変える（以下、「ラインスキャン」と呼ぶ）。
（２）磁気センサＭＳを予め定められた点（回転軸）を中心に扇状に回動させ、その向きを予め定められた一定角度の範囲内において刻一刻と変える（以下、「セクタースキャン」と呼ぶ）。
（３）磁気センサＭＳを予め定められた点（回転軸）を中心に回転させ、その向きを全周３６０度にわたって刻一刻と変える（以下、「ローテーション」と呼ぶ）。
（４）上記（１）と（２）の組み合わせ、又は上記（１）と（３）の組み合わせ。
【００４０】
遊技球が遊技領域に設けられた入賞装置３０ｂ〜３０ｄには、それぞれ内部に球通過検出器（例えばスイッチ）２０ｂ〜２０ｄが設けられ、遊技球の通過を検出できるようになっている。いずれかの入賞装置３０ｂ〜３０ｄの位置を通過すると、これを球通過検出器２０ｂ〜２０ｄが検出し、これを受けて入賞判定部４０ａが所定の抽選・判定処理を行う。例えば、球通過検出器２０ｂがスルーチャッカー（入賞チャッカー）３０ｂを通過した遊技球を検知したとき、所定の抽選を行い、当選したときはスタートチャッカー（始動入賞装置）３０ｄを所定時間開放する。すなわち、スタートチャッカー（始動入賞装置）３０ｄの左右両側に互いに対向して設けられた一対の可動片を、それぞれ外側へ開放させる。併せて当選の旨を可変表示装置（センター役物）３０ａに表示する。そして、遊技球がスタートチャッカー（始動入賞装置）３０ｄを通過したことを検知したとき、所定の抽選を行い、当選したときはアタッカー３０ｅの大入賞装置を開放する。
【００４１】
本発明の実施の形態が検出の対象としている不正行為は、磁石を使って不正に遊技球を入賞装置３０ｂ〜３０ｄに導く行為である。不正行為に係る磁石を検知するために公知の磁気センサＭＳを用いる。
【００４２】
磁気センサＭＳの特性は「磁気を検知する」ということである。先に述べたように、磁気センサＭＳは、その磁気検知範囲Ａが検出方向Ｄを中心とする一定範囲に限定されるなどの特性があり、その磁気検知範囲Ａがセンサの中心に均等に広がっているわけではない（図１８参照）。
【００４３】
磁気センサＭＳは、多数であればあるほど広い範囲をカバーすることができるが、コストや実装位置の制限などの関係から、使用数には限界がある。そこで、発明の実施の形態では、磁気センサＭＳの磁気検知範囲Ａを活用するように磁気センサＭＳを固定設置とせず、可動させることで検知範囲を広げたものである。
【００４４】
磁気センサＭＳの範囲はその特性を理解すれば、設置状況から有効な範囲が推測されやすいが、磁気検知である以上、視認できる位置に実装する必要はない。以下、磁気センサＭＳの可動のやり方について説明を加える。
【００４５】
（１）ラインスキャン
図５に、磁気センサＭＳを予め定められた直線又は曲線に沿って動かす機構を示す。遊技盤１０の裏面（盤面１１の反対面）に沿ってレール（線路）ＲＬが設けられ、この上を磁気センサＭＳが自由に動けるように取り付けられている。同図の矢印は磁気センサＭＳの動きを示す。同図では３つの磁気センサＭＳを示しているが、これらはひとつの磁気センサＭＳがそれぞれの位置へ移動した状態を示す。磁気センサＭＳにはこれを動かすための機構が取り付けられている。例えば、図５に示すように、磁気センサＭＳにはラックＲＫが取り付けられている。ラックＲＫを動かすピニオンＰＮにはモータＭが取り付けられている。ラック（rack）とは、平板に歯を付けたものであり、ピニオン（小歯車）ＰＮと噛み合い、回転運動を直線運動に変えるのに用いるものである。モータＭは、レールＲＬ上の一定範囲を磁気センサＭＳが適当な周期で往復するようにラックＲＫを動かす。モータＭは特に制御を受けておらず、一定回転速度で動いている。なお、遅くあるいは早くモータＭの回転速度を調整するようにしてもよいのはもちろんである。例えば、磁気センサＭＳの検出方向の延長線上に入賞口が位置しているとき移動速度を落とすというように、必要に応じて適宜回転速度を調整するようにしてもよい。図５において、ラックＲＫ、ピニオンＰＮ及びモータＭが、図４の駆動部ＤＲＶを構成する。
【００４６】
図５のレールＲＬ及び駆動部ＤＲＶは、例えば図６（ａ）に示すように遊技盤１０の右側に設けられ、磁気センサＭＳの検出方向Ｄが上下方向に動くように配置される（図６（ａ）（ｂ）では駆動部ＤＲＶの表示を省略している）。これにより、盤面１１の右側の入賞口３０ｂから３０ｃにかけての領域を隙間なく監視することができる。図６（ａ）では、磁気センサＭＳの軸方向（検出方向）Ｄ（以下、「磁気センサＭＳの向き」と記す）が遊技盤１０に直交しているが、図６（ｂ）に示すように磁気センサＭＳの向きを遊技盤１０に平行に配置してもよい。図６（ａ）の取り付け方によれば、磁気センサＭＳで遊技盤１０に垂直な方向を縦深に監視できる。図６（ｂ）の取り付け方によれば、磁気センサＭＳで遊技盤１０の表面（盤面１１）を広い範囲に渡って監視できる。
【００４７】
（２）セクタースキャン
図７に、磁気センサＭＳを予め定められた点（回転軸）を中心に扇状に回動させる機構を示す。当該機構と磁気センサＭＳは、遊技盤１０の裏面（盤面１１の反対面）に設けられている。例えば、遊技盤１０の裏面にこれに垂直に棒（図示せず）が取り付けられ、遊技盤１０の裏面に設けられた磁気センサＭＳの一方の側（図の例では遊技機の内側の方の端）が前記棒に回動可能に取り付けられ、この個所を回転軸Ｃとして磁気センサＭＳが回転する。磁気センサＭＳにはアームＡＭが回動自在に取り付けられ、アームＡＭの他端は円盤状の歯車ＨＧの円周上に回動自在に取り付けられている。歯車ＨＧにはモータＭの軸に取り付けられたウォームギアＷＧがかみ合っている。モータＭが回転すると円盤状の歯車ＨＧがゆっくりと回転し、これに応じてアームＡＭが磁気センサＭＳを左右に（遊技盤１０に平行な方向に）押したり引いたりする。このため、磁気センサＭＳは回転軸Ｃを中心に予め定められた角度の範囲（これは円盤状の歯車ＨＧの直径と、アームＡＭの取り付け位置で決まる）を回動する。モータＭは特に制御を受けておらず、一定回転速度で動いている。なお、適宜回転速度を調整するようにしてもよいのはもちろんである。例えば、磁気センサＭＳの検出方向が概ね入賞口の方向を向いているとき回転速度を落とすというように、回転速度を調整するようにしてもよい。図７において、アームＡＭ、歯車ＨＧ、モータＭ及びウォームギアが、図４の駆動部ＤＲＶを構成する。
【００４８】
図７の回転軸Ｃに取り付けられた磁気センサＭＳ及び駆動部ＤＲＶは、例えば図８（ａ）に示すように遊技盤１０の右側に設けられ、磁気センサＭＳが回転軸Ｃを中心に扇状に回動するように配置される（図８（ａ）（ｂ）では駆動部ＤＲＶの表示を省略している）。これにより、盤面１１の右側の入賞口３０ｂから３０ｃにかけての領域を隙間なく監視することができる。なお、図８（ｂ）に示すように磁気センサＭＳを遊技盤１０に平行に配置し、回転軸Ｃが遊技盤１０と垂直に交わるようにしてもよい。図８（ａ）の取り付け方によれば、磁気センサＭＳで遊技盤１０に垂直な方向を縦深に監視できる。図８（ｂ）の取り付け方によれば、磁気センサＭＳで遊技盤の表面（盤面１１）を広い範囲に渡って監視できる。
【００４９】
（３）ローテーション
図９（ａ）（ｂ）に、磁気センサＭＳをその一点を中心に回動させる機構を示す。図９（ｂ）は、図９（ａ）のＸ−Ｘ線矢視断面図である。当該機構と磁気センサＭＳは、遊技盤１０の裏面（盤面１１の反対面）に設けられている。すなわち、遊技盤１０の裏面に磁気センサＭＳが設けられ、そのほぼ中心を回転軸Ｃとして回転するように取り付けられている。回転軸ＣにはモータＭの軸が直接又は図示しない減速機構を介して取り付けられている。モータＭの回転により、磁気センサＭＳが回転する。モータＭは特に制御を受けておらず、一定回転速度で動いている。なお、例えば、磁気センサＭＳの検出方向が概ね入賞口の方向を向いているとき回転速度を落とすというように、必要に応じて適宜回転速度を調整するようにしてもよいのはもちろんである。
【００５０】
図９の回転軸Ｃに取り付けられた磁気センサＭＳ及び駆動部ＤＲＶは、例えば図１０（ａ）に示すように遊技盤１０の右側に設けられ、磁気センサＭＳが回転軸Ｃを中心に回動するように配置される（図１０（ａ）（ｂ）では駆動部ＤＲＶの表示を省略している）。これにより、盤面１１の右側の入賞口３０ｃ及びその近傍の領域を隙間なく監視することができる。なお、図１０（ｂ）に示すように、回転軸Ｃに取り付けられた磁気センサＭＳ及び駆動部ＤＲＶを遊技盤１０のほぼ中央に設けるとともに、磁気センサＭＳの向きを遊技盤１０に平行に配置し、回転軸Ｃが遊技盤１０と垂直に交わるようにしてもよい。図１０（ｂ）の構成によれば、盤面１１のほぼ全部の領域を監視することができる。磁気センサＭＳの取り付け個所は死角になるが、通常その位置にはセンター役物３０ａが配置されるので問題とはならない。
【００５１】
発明の実施の形態によれば、次のような利点がある。
１．少数の磁気センサで広範囲を監視することができる。
２．広範囲の検知を可能とすることにより、発明の実施の形態と同じ範囲を複数の磁気センサで同時に監視するやり方と比べて磁気センサの数を削減することができ、コストダウンを実現できる。
３．発明の実施の形態と同じ範囲を複数の磁気センサで同時に監視する場合に必要とされる信号の論理和回路（信号の合成回路）などが不要となり、コストダウンを実現できる。
４．発明の実施の形態と同じ範囲を複数の磁気センサで同時に監視する場合と比べ、磁気センサの設置面積が少なくて済み、その実装が容易である。
【００５２】
発明の実施の形態２．
上記発明の実施の形態１では、磁気センサＭＳを遊技盤１０の裏面側（盤面１１の反対面）に設けていた。その駆動部は磁気センサ専用のものであった。発明の実施の形態２は、遊技機に設けられている役物に磁気センサを取り付けることにより、専用の駆動部を不要としたものである。
【００５３】
役物は、遊技機の盤面１１に設けられている可動式の装置である。役物には、液晶表示装置で構成され、その表示画面を切り替えることにより可動しているように見せているものがあるが、発明の実施の形態２はそのような役物は対象としていない。発明の実施の形態２に係る役物は、回転するとか直線又は曲線に沿って往復運動するなどの物理的な動き（上述のラインスキャン、セクタースキャン、ローテーションに相当するもの）を実現する機構を備えるものである。
【００５４】
図１１及び図１２は、発明の実施の形態２に係る可変表示装置（センター役物）３０ａを示す。
センター役物３０ａの上方に防護屋根１６が設けられている。防護屋根１６は、遊技球が上方から落下して図柄の表示が妨げられることを防止する。
センター役物３０ａの左側部の内部には遊技球落下路１７が設けられている。遊技球落下路１７は、センター役物３０ａの左側面付近を落下する遊技球が入り込むことにより、遊技球をセンター役物３０ａの外部または後述するステージ１８上に誘導する。遊技球落下路１７の下流側には、遊技球をセンター役物３０ａの外部に排出する外部排出口１７ａ、遊技球をステージ１８上に誘導するステージ誘導口１７ｂが形成されている。
【００５５】
センター役物３０ａの下方にステージ１８が設けられている。ステージ１８は、最も低い位置にある中央部から両端部に向かうにつれて次第に上方に傾斜して円弧状に曲げられて形成された転動面１８ａを備える。転動面１８ａには、その中央で奥行き方向に亘って形成された中央溝１８ｂと、中央溝１８ｂの左右にそれぞれ延びて上方に傾斜している傾斜部１８ｃとが形成されており、中央溝１８ｂ及び左右の傾斜部１８ｃは、それぞれ前面側に向けて下向きに傾斜する形状で形成されている。中央溝１８ｂ及び左右の傾斜部１８ｃでは、主に遊技球落下路１７のステージ誘導口１７ｂから誘導された遊技球や、センター役物３０ａの周辺の釘で跳ね返された遊技球が滞在し、例えば、遊技球落下路１７のステージ誘導口１７ｂから誘導された遊技球がステージ１８の低い位置にある中央溝１８ｂに向けて転がり、勢いがつくと傾斜部１８ｃを左右に転がる。
【００５６】
センター役物３０ａの前面の下側部には、固定誘導部（固定部）１９が設けられている。固定誘導部１９は、遊技球が流入する流入口１９ａ、流入口１９ａから流入した遊技球を誘導する誘導路１９ｂ、誘導路１９ｂを誘導された遊技球を排出する出口１９ｃを備える。流入口１９ａは、出口１９ｃの上側に形成されており、流入口１９ａと出口１９ｃとは誘導路により連結されている。
【００５７】
センター役物３０ａの前面の下側部には、可動役物（捕捉部）２０が、外部排出口１７ａの真下にくる離脱位置と、流入口１９ａの真正面にきて流入口１９ａに連通する連通位置との間で移動自在に設けられている。本実施形態では、固定誘導部（固定部）１９と可動役物（捕捉部）２０とで、いわゆるワープ通路である遊技球誘導通路を構成している。可動役物２０は、前面、左面、右面及び下面からなる略箱状に形成されており、前面、左面、右面及び下面により形成された収容部（入口）２０ａが遊技球を１個収容（捕捉）可能な大きさで形成されている。可動役物２０の後面の左側端部には、後述するギアベルト２５に噛合する第２ギア２６を取り付けるための第１取付シャフト２７及び第２取付シャフト２８が取り付けられており、センター役物３０ａの前面の下側部には、第１取付シャフト２７及び第２取付シャフト２８を挿通するための長孔状の挿通孔１４ａが２個形成されている。この２個の長孔状の挿通孔１４ａを第１取付シャフト２７及び第２取付シャフト２８が移動することにより、可動役物２０が左右に移動する。
【００５８】
図１３に示すように、センター役物３０ａの内部には、可動役物２０を移動するための移動ユニット２２が設けられている（移動ユニット２２が発明の実施の形態１の駆動部ＤＲＶに相当する）。図１３に示すように、移動ユニット２２は、モータ２３、第１ギア２４、ギアベルト２５、第２ギア２６を備える。モータ２３は、図示しない駆動回路により駆動される。第１ギア２４に形成された取付孔２４ａには、モータ２３のモータシャフト２３ａが挿入され、図示しない駆動回路からの信号によりモータ２３が駆動してモータシャフト２３ａが回動すると、第１ギア２４が回動する。ギアベルト２５は、輪状に形成され、その外周面には複数のギア歯が形成されている。ギアベルト２５は、センター役物３０ａの内部に設けられた第１プーリ３１と第２プーリ３２とに巻き掛けられており、そのギア歯は、第１ギア２４と第２ギア２６とのそれぞれに噛合している。これにより、第１ギア２４が回動すると、ギアベルト２５が回動する。
【００５９】
第２ギア２６は、可動役物２０に取り付けられ、センター役物３０ａの挿通孔１４ａを挿通した第１取付シャフト２７及び第２取付シャフト２８に取り付けられている。ギアベルト２５が回動すると、第２ギア２６が回動しようとする回動力が発生するが、第２ギア２６が回動すると、第２ギア２６に取り付けられた第１取付シャフト２７及び第２取付シャフト２８が、挿通孔１４ａを形成するセンター役物３０ａの内壁面に当接し、第２ギア２６の回動が停止する。このため、第２ギア２６が、ギアベルト２５の回動方向に移動する力が発生する。これにより、モータシャフト２３ａが回動すると、第１ギア２４、ギアベルト２５、第２ギア２６、第２取付シャフト２８を介して、可動役物２０が移動する。例えば、モータシャフト２３ａが図１３中Ａ方向に回動すると、可動役物２０は同図中Ｂ方向に移動し、モータシャフト２３ａが同図中Ｃ方向に回動すると、可動役物２０は同図中Ｄ方向に移動する。可動役物２０は、ギアベルト２５の両端の間を往復して常時移動する。可動役物２０の移動速度は、適宜変更される。
【００６０】
図１３に示すように、可動役物２０に磁気センサＭＳが取り付けられている（第２ギア２６は可動役物２０と一体であるので、第２ギア２６に磁気センサを取り付けてもよい）。これらは上述のようにギアベルト２５に沿って往復運動するので、発明の実施の形態１で説明したラインスキャンを実現することができる。
【００６１】
あるいは、図１４に示すように、磁気センサＭＳの回転軸Ｃにギア２６ａを設け、これをギアベルト２５に噛み合せるようにしてもよい。ギアベルト２５の動きに従って、ギア２６ａが回転し磁気センサＭＳが回転するので、発明の実施の形態１で説明したローテーションを実現することができる（回転軸Ｃは保持されており、移動しないものとする）。
【００６２】
図示は省略するが、図７の円盤状の歯車ＨＧをギアベルト２５に噛み合せるようにすれば、発明の実施の形態１で説明したセクタースキャンを実現することができる。
【００６３】
発明の実施の形態２によれば、遊技機に設けられた役物の駆動機構を利用して磁気センサを動かすので専用の駆動機構が不要になり、コストダウンを実現できる。
【００６４】
発明の実施の形態３．
発明の実施の形態１では駆動部ＤＲＶは常時一定速度で動いており、磁気センサの位置又は向きを変える際に特定の位置又は方向に向けるといった制御を行っていなかった。例えば、ローテーションの例では磁気センサは単に回転しているに過ぎなかった。発明の実施の形態３は、磁気センサを特定の方向に向けるように制御するものである。
【００６５】
図１５は、発明の実施の形態３に係る遊技機のブロック図を示す。図１５では、図４と同一又は相当部分に同一の符号を付し、その説明は省略する。同図において、４０ｃは磁気センサＭＳの向きを制御するセンサ駆動制御部４０ｃである。この出力を受けて駆動部ＤＲＶは磁気センサＭＳを特定の方向へ向ける。センサ駆動制御部４０ｃの動作の具体例を挙げる。
【００６６】
（１）ハンドル４８ｂの回転角度に応じて磁気センサＭＳの向きを指示する。
遊技球は発射駆動装置４８により盤面１１へ打ち出されるが、その強さは遊技機右側に設けられているハンドル４８ｂで調整できる。すなわち、ハンドル４８ｂを大きく回せば遊技球は強く打ち出され、主に盤面１１の右側に到達し、ハンドル４８ｂの回転角度が小さければ遊技球の打ち出しは弱く、盤面１１の右側に到達することが出来ず、主にその左側を流れる。磁石を用いた不正行為は、遊技球が到達している領域で行われるから、ハンドル４８ｂの回転角度に応じて磁気センサＭＳを向けるのは合理的である。図１６に処理フローチャートを示す。
【００６７】
ハンドル４８ｂの回転角度を取得し、これを予め定められた閾値と比較する（Ｓ１）。例えば、ハンドル４８ｂに設けられた図示しないロータリーエンコーダの出力に基づきハンドル４８ｂの回転角度を取得できる。上記閾値は設計又は実験的に得られるもので、ハンドル４８ｂの回転角が当該閾値よりも小さいとき、遊技球が主に盤面１１の左側に到達し、ハンドル４８ｂの回転角が当該閾値よりも大きいとき、遊技球が主に盤面１１の右側に到達する。当該閾値は遊技球の到達領域を弁別するためのものである。なお、遊技球の実際の動きは複雑で、ハンドル４８ｂの回転角によりその動きは必ずしも一定にならないので、当該閾値はそれほど厳密なものでなくてもよい。ハンドル４８ｂの回転角が当該閾値よりも大きいとき、半分以上の遊技球が盤面１１の右側に到達するといった程度のものでよい。
【００６８】
ハンドル４８ｂの回転角度と閾値の比較により、盤面の左右どちらに向けて打ち出されているかどうか判定する（Ｓ２）。ハンドル４８ｂの回転角度が閾値よりも大きくて遊技球が主に盤面１１の右側に到達すると判定されたら、磁気センサＭＳを盤面１１の右に向ける（右に移動させる）又は右側をスキャンする（セクタースキャンの中心を右側に向ける）（Ｓ３）。ハンドル４８ｂの回転角度が閾値よりも小さくて遊技球が主に盤面１１の左側に到達すると判定されたら、磁気センサＭＳを盤面の左に向ける（左に移動させる）又は左側をスキャンする（セクタースキャンの中心を左に向ける）（Ｓ４）。
【００６９】
（２）入賞口に向ける。
不正行為が行われるのは入賞口の近傍が多いと考えられるから、磁気センサＭＳをもっぱら入賞口へ向けるようにすると不正行為を効率的に検出できると考えられる。例えば、図１７（ａ）に示すように磁気センサＭＳが遊技盤１０の右側に設けられてセクタースキャンする場合であれば、その回転中心Ｃから見て入賞口３０ｂ、３０ｃ、３０ｄの方位角がθｂ、θｃ、θｄであるならば、駆動装置ＤＲＶで磁気センサＭＳの向きをθｃ、θｄ、θｂ、θｄ、θｃ、・・・のように入賞口３０ｂ、３０ｃ、３０ｄへ順番に向ける（磁石は入賞口の上側で使用されるので、入賞口のやや上側に向けるとよい）。
【００７０】
あるいは、図１７（ｂ）に示すように磁気センサＭＳがラインスキャンする場合であれば、入賞口３０ｂ、３０ｃ、３０ｄの位置（高さ）がｙｂ、ｙｃ、ｙｄであるとして、駆動装置ＤＲＶで磁気センサＭＳの高さをｙｃ、ｙｄ、ｙｂ、ｙｄ、ｙｃ、・・・のように入賞口３０ｂ、３０ｃ、３０ｄへ順番に動かす（磁石は入賞口の上側で使用されるので、入賞口のやや上側に位置させるとよい）。
【００７１】
発明の実施の形態３によれば、さらに、不正行為の検知確率を高めることができる。
【００７２】
なお、発明の実施の形態１又は３に、発明の実施の形態２の磁気センサ付の可動役物を適用するようにしてもよい。この場合、可動役物はステージを往復するものだけではなく、盤面１１上を任意に移動することができるもの又は盤面１１上で任意の方向を向くことができるものであってもよい。また、発明の実施の形態２に、発明の実施の形態３記載の駆動制御を適用してもよい。例えば、移動ユニット２２をセンサ駆動制御部４０ｃで制御し、発明の実施の形態３に記載のように磁気センサを所定の位置に向かわせるようにしてもよい。
【００７３】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００７４】
【図１】遊技機の表面構造を示す斜視図である。
【図２】遊技機の裏面構造を示す斜視図である。
【図３】遊技者から見た盤面の様子を示す図（正面図）である。
【図４】発明の実施の形態１に係る遊技機の機能ブロック図である。
【図５】発明の実施の形態１に係る磁気センサの駆動機構の説明図である。
【図６】発明の実施の形態１に係る磁気センサ及び駆動機構の取り付け方の説明図である。
【図７】発明の実施の形態１に係る磁気センサの他の駆動機構の説明図である。
【図８】発明の実施の形態１に係る磁気センサ及び駆動機構の他の取り付け方の説明図である。
【図９】発明の実施の形態１に係る磁気センサの他の駆動機構の説明図である。
【図１０】発明の実施の形態１に係る磁気センサ及び駆動機構の他の取り付け方の説明図である。
【図１１】可動役物の説明図（断面図）である。
【図１２】可動役物の説明図（正面図）である。
【図１３】発明の実施の形態２に係る可動役物の駆動機構への磁気センサの取り付け方の説明図である。
【図１４】発明の実施の形態２に係る可動役物の駆動機構への磁気センサの他の取り付け方の説明図である。
【図１５】発明の実施の形態３に係る遊技機の機能ブロック図である。
【図１６】発明の実施の形態３に係る磁気センサの指向制御処理のフローチャートである。
【図１７】発明の実施の形態３に係る磁気センサの他の指向制御処理の説明図である。
【図１８】磁気センサの磁気検知範囲の説明図及び検知の死角の説明図である。
【符号の説明】
【００７５】
１０    遊技盤
１１    盤面
１２    誘導レール
１３    排出口（アウト口）
１４    障害物
２０ｂ〜２０ｄ    球通過検出器
３０    入賞口
３０ａ  可変表示装置（センター役物）
３０ｂ  スルーチャッカー（入賞チャッカー）
３０ｃ  普通入賞装置
３０ｄ  スタートチャッカー（始動入賞装置）
３０ｅ  アタッカー（大入賞装置）
４０    制御部
４０ａ  入賞判定部
４０ｂ  不正行為判定部
４０ｃ  センサ駆動制御部
４１    表示制御部
４２    払出制御部
４３    遊技球払出装置
４４    ランプ制御部
４６    音響制御部
４８    発射駆動装置
４８ｂ  回動式操作ハンドル
４９    発射制御装置
５０    外枠
５１    本体部材
５２    開口枠扉
５２ａ  電飾
５２ｂ  スピーカ
５３    球受け皿付き扉
Ａ    磁気検知範囲
Ｄ    軸方向（検出方向）
Ｚ    検出不能領域
θ    検知可能な限界角度
ＲＬ  レール（線路）
ＲＫ  ラック
ＰＮ  ピニオン
Ｍ    モータ
ＭＳ  磁気センサ
Ｃ    回転軸
【図１】
2008017889.tif 000003
【図２】
2008017889.tif 000004
【図３】
2008017889.tif 000005
【図４】
2008017889.tif 000006
【図５】
2008017889.tif 000007
【図６】
2008017889.tif 000008
【図７】
2008017889.tif 000009
【図８】
2008017889.tif 000010
【図９】
2008017889.tif 000011
【図１０】
2008017889.tif 000012
【図１１】
2008017889.tif 000013
【図１２】
2008017889.tif 000014
【図１３】
2008017889.tif 000015
【図１４】
2008017889.tif 000016
【図１５】
2008017889.tif 000017
【図１６】
2008017889.tif 000018
【図１７】
2008017889.tif 000019
【図１８】
2008017889.tif 000020